(57)【要約】  太陽電池パネルと端子ボックスの組立時に太陽電池パネルからの母線と端子ボックスの端子板の接続が機械による自動化に対応するように構成された太陽電池モジュールを提供する。表面部材、裏面部材、及びそれらの部材の間に設けられる太陽電池を含む太陽電池パネルと、太陽電池パネルからの電流を取り出すための端子ボックスとから形成される太陽電池モジュールであって、太陽電池パネル内の太陽電池から発生する電流を端子ボックス内の端子板に伝達するための母線が設けられているものにおいて、端子ボックスを太陽電池パネルに取り付けると、端子ボックス内の端子板の末端と母線の末端が接触するように母線と端子板が構成されていることを特徴とする。
2010067466.tif 000002
【特許請求の範囲】
【請求項１】
表面部材、裏面部材、及びそれらの部材の間に設けられる太陽電池を含む太陽電池パネルと、太陽電池パネルからの電流を取り出すための端子ボックスとから形成される太陽電池モジュールであって、太陽電池パネル内の太陽電池から発生する電流を端子ボックス内の端子板に伝達するための母線が設けられているものにおいて、端子ボックスを太陽電池パネルに取り付けると、端子ボックス内の端子板の末端と母線の末端が接触するように母線と端子板が構成されていることを特徴とする太陽電池モジュール。
【請求項２】
母線の末端が太陽電池パネルから取り出され、取り出された部分が裏面部材の外部面に密着固定されていることを特徴とする請求項１に記載の太陽電池モジュール。
【請求項３】
母線の末端が露出するように裏面部材の一部が除去されており、端子ボックスを太陽電池パネルに取り付けると、除去された部分が端子ボックスに覆われることを特徴とする請求項１に記載の太陽電池モジュール。
【請求項４】
端子板の末端を含む先端部分がバネ性を有することを特徴とする請求項１〜３のいずれかに記載の太陽電池モジュール。
【請求項５】
端子板が、バネ性を有する端子板の先端部分を構成する部品と、それと接続されるバネ性を有しない部品とから構成されていることを特徴とする請求項１〜４のいずれかに記載の太陽電池モジュール。
【発明の詳細な説明】
【技術分野】
【０００１】
本発明は、組立時の自動化を考慮した太陽電池パネルと端子ボックスからなる太陽電池モジュールに関する。
【背景技術】
【０００２】
太陽電池パネルは、発電量を増大するために日当たりの良い建物の屋根等に多数接続して配置されるものである。個々の太陽電池パネルは、図１に示す通り、その裏面に端子ボックスが取り付けられており、外部接続用ケーブル３０を介して隣接する太陽電池パネル１０の端子ボックス２０同士が電気的に接続される。【０００３】
従来の太陽電池パネルと端子ボックスからなる太陽電池モジュールの構成の説明図を図２に示す。図２において、１０は太陽電池パネル、１１，１２はそれぞれ太陽電池パネル１０の表面側及び裏面側を構成する表面部材、裏面部材であり、表面部材１１はガラスまたはプラスチック等の透光性を有する材料からなり、裏面部材１２は例えばＡｌ箔の両面を樹脂フィルムで挟んだ構造を有する材料からなる。１３は太陽電池であり、例えば従来公知のシリコン結晶からなる多数の太陽電池セルがマトリックス状に配列されて構成される。１４は太陽電池セルを電気的に接続し、太陽電池１３から発生する電流を端子ボックス内の端子板の両極に伝達するための母線である。１５は太陽電池１３を表面部材１１と裏面部材１２の間に封止するための絶縁性を有する接着封止剤である。２０は端子ボックスであり、その中には母線１４と接続される両極の端子板２１がある。【０００４】
従来の太陽電池モジュールでは、図２に示すように、太陽電池パネルの太陽電池から発生する電流を端子板に伝達する母線は、裏面部材から垂直に取り出された形で存在しており、太陽電池パネルに端子ボックスを取り付ける際に、端子ボックス内の端子板の末端部の上に母線の末端を直角に折り曲げた後、半田付けして母線と端子板の接続を行っていた。このような母線と端子板の接続作業は、自動化が困難であり、作業の効率性と信頼性の点で問題があった。
【発明の開示】
【発明が解決しようとする課題】
【０００５】
本発明は、かかる従来技術の現状に鑑み創案されたものであり、その目的は、太陽電池パネルと端子ボックスの組立時に太陽電池パネルからの母線と端子ボックスの端子板の接続が機械による自動化に対応するように構成された太陽電池モジュールを提供することにある。
【課題を解決するための手段】
【０００６】
本発明者は、かかる目的を達成するために母線と端子板の機械による接続に好適な太陽電池モジュールの構造について鋭意検討した結果、母線の末端の折り曲げや母線と端子板の接続のための位置決め工程がない構造を見出し、本発明の完成に至った。【０００７】
即ち、本発明は、表面部材、裏面部材、及びそれらの部材の間に設けられる太陽電池を含む太陽電池パネルと、太陽電池パネルからの電流を取り出すための端子ボックスとから形成される太陽電池モジュールであって、太陽電池パネル内の太陽電池から発生する電流を端子ボックス内の端子板に伝達するための母線が設けられているものにおいて、端子ボックスを太陽電池パネルに取り付けると、端子ボックス内の端子板の末端と母線の末端が接触するように母線と端子板が構成されていることを特徴とする太陽電池モジュールである。【０００８】
本発明の太陽電池モジュールの好ましい態様は以下の通りである。
（１）母線の末端が太陽電池パネルから取り出され、取り出された部分が裏面部材の外部面に密着固定されている。
（２）母線の末端が露出するように裏面部材の一部が除去されており、端子ボックスを太陽電池パネルに取り付けると、除去された部分が端子ボックスに覆われる。
（３）端子板の末端を含む先端部分がバネ性を有する。
（４）端子板が、バネ性を有する端子板の先端部分を構成する部品と、それと接続されるバネ性を有しない部品とから構成されている。
【発明の効果】
【０００９】
本発明の太陽電池モジュールは、母線の末端の折り曲げ工程がなく、端子ボックスを太陽電池パネルに取り付けて半田付けするだけで端子板と母線を接続できるので、製造工程の自動化が容易であるとともに接続部の信頼性が高い。
【図面の簡単な説明】
【００１０】
【図１】図１は、太陽電池パネルの裏面の構造を示す概略図である。
【図２】図２は、従来の太陽電池モジュールの構成の説明図である。
【図３】図３は、本発明の太陽電池モジュールの第一実施態様の構成の説明図である。
【図４】図４は、本発明の太陽電池モジュールの第一実施態様の別の構成の説明図である。
【図５】図５は、本発明の太陽電池モジュールで使用されるバネ性を有する端子板の一例の概略図である。
【図６】図６は、本発明の太陽電池モジュールで使用されるバネ性を有する端子板の一例の概略図である。
【図７】図７は、本発明の太陽電池モジュールで使用されるバネ性を有する端子板の一例の概略図である。
【図８】図８は、本発明の太陽電池モジュールの第二実施態様の構成の説明図である。
【図９】図９は、本発明の太陽電池モジュールの第三実施態様の構成の説明図である。
【図１０】図１０は、本発明の太陽電池モジュールの第三実施態様の別の構成の説明図である。
【符号の説明】
【００１１】
１０  太陽電池パネル
１１  表面部材
１２  裏面部材
１３  太陽電池
１４  母線
１５  接着封止剤
２０  端子ボックス
２１  端子板
３０  外部接続用ケーブル
【発明を実施するための最良の形態】
【００１２】
本発明の太陽電池モジュールについて図面を参照しながら説明するが、本発明はこれらに限定されるものではない。【００１３】
（第一実施態様）
図３は、本発明の太陽電池モジュールの第一実施態様の説明図である。図３において、１０は太陽電池パネル、１１は太陽電池パネル１０の表面部材、１２は太陽電池パネル１０の裏面部材、１３は太陽電池、１４は母線、１５は接着封止剤、２０は端子ボックス、２１は端子板である。本発明の太陽電池モジュールは、太陽電池パネル１０の母線１４、及び端子ボックス２０内の端子板２１の構造以外は基本的に従来の太陽電池モジュールの構造を採用することができる。【００１４】
この第一実施態様の特徴は、図３に示すように、母線１４の末端が太陽電池パネル１０から取り出され、取り出された部分が裏面部材１２の外部面に密着固定するように構成されていることであり、また、このように取り出された母線１４の末端が、端子ボックス２０を太陽電池パネル１０の裏面部材１２の所定の取り付け位置に取り付けると端子ボックス２０内の端子板２１の末端と適切に接触、好ましくは密着するように構成されていることである。従って、この第一実施態様の構造を採用すると、端子ボックスを太陽電池パネルの所定の取り付け位置に固定して母線と端子板の末端の接触部分を半田付けするだけで太陽電池モジュールの組立を行うことができ、組立の自動化への対応が極めて容易である。これに対して、従来の太陽電池モジュールは、母線と端子板の接続では母線の折り曲げや母線と端子板の位置合わせの作業が必要であるため、自動化が困難であるとともに接続部の信頼性が低い。なお、裏面部材１２は、母線１４の取り出された部分が裏面部材１２の外部面に密着固定しやすいように、例えば図４に示すように裏面部材の一部を削ってもよい。【００１５】
また、第一実施態様では、図３に示すように、母線１４に接続される端子板２１の末端を含む先端部分がバネ性を有するような形状を端子板に持たせていることが特徴である。バネ性を有する形状としては、端子板の先端部分が母線との接触時に弾力的に母線を押し付ける形状が挙げられ、例えば端子板の先端部分の薄肉化や、Ｕ、Ｖ、Ｓ、Ｚ文字のような湾曲部または屈折部を持つ形状の形成により達成されることができる。これにより、端子ボックス２０を太陽電池パネル１０に取り付けると、端子板２１の先端が母線１４に押付けられて端子板２１と母線１４の密着性を向上させることができ、母線１４への位置決めが容易になる。バネ性を有する端子板の形状の例としては、例えば図５〜７を挙げることができる。【００１６】
（第二実施態様）
図８は、本発明の太陽電池モジュールの第二実施態様の説明図である。この第二実施態様は、図３に示す第一実施態様において、端子ボックス２０内の端子板２１を、バネ性を有する端子板の先端部分を構成する部品と、それを接続されるバネ性を有しない部品（従来の端子板）とから構成させたことに特徴がある。これにより、従来の汎用の端子板にバネ性を有する専用部品を接続するだけで、本発明の目的に対応した端子板を簡単に作ることができる。【００１７】
（第三実施態様）
図９は、本発明の太陽電池モジュールの第三実施態様の説明図である。この第三実施態様の特徴は、図９に示すように、母線１４の末端が露出するように裏面部材１２の一部が除去されていることであり、また、このように露出された母線１４の末端が、端子ボックス２０を太陽電池パネル１０の裏面部材１２の所定の取り付け位置に取り付けると、端子ボックス２０内の端子板２１の末端と適切に接触、好ましくは密着するとともに、端子ボックス２０が除去された裏面部材の部分を覆うことである。従って、この第三実施態様の構造を採用すると、端子ボックスを太陽電池パネルの所定の取り付け位置に固定して母線と端子板の末端の接触部分を半田付けするだけで太陽電池モジュールの組立を行うことができ、組立の自動化への対応が極めて容易である。なお、接着封止剤１５は、図２，３，４，８，９の太陽電池モジュールのように各材料間で全面的に設けられる必要はなく、例えば図１０に示すように太陽電池１３と表面部材１１または裏面部材１２が接触する周囲部分だけに接着封止剤１５を設けてもよい。
【産業上の利用可能性】
【００１８】
本発明の太陽電池モジュールは、端子ボックス内の端子板と太陽電池パネルからの母線の接続が自動化に対応して構成されているので、低コストで量産するのに極めて有用である。
【図１】
2010067466.tif 000003
【図２】
2010067466.tif 000004
【図３】
2010067466.tif 000005
【図４】
2010067466.tif 000006
【図５】
2010067466.tif 000007
【図６】
2010067466.tif 000008
【図７】
2010067466.tif 000009
【図８】
2010067466.tif 000010
【図９】
2010067466.tif 000011
【図１０】
2010067466.tif 000012
【国際調査報告】
2010067466.tif 000013
2010067466.tif 000014
2010067466.tif 000015
2010067466.tif 000016